(57)【要約】【課題】簡単な操作によって、指定したファイルまで連続して再生し、自動的に停止する。【解決手段】自動再生停止モードが設定されているとき、再生キーを操作してから、数字キーにより再生したいファイル数を指定する。ファイルの頭出し情報によって再生したファイル数をカウントする。指定した最後のファイルの再生を終え、次のファイルの頭出し情報を検出すると、カウント数が指定したファイル数と一致するので、再生を自動的に停止する。【選択図】　図５
2004146021.tif 000002
【特許請求の範囲】
【請求項１】
記録媒体に記録された複数のファイルを連続して再生する再生装置であって、ファイルの再生を自動的に停止する自動停止機能を設定する設定手段と、自動停止機能が設定されたとき、ファイルの再生を開始して、指定されたファイルの次のファイルの再生を停止する実行手段とを備えたことを特徴とする再生装置。
【請求項２】
記録媒体に記録された複数のファイルを連続して再生する再生装置であって、ファイルの再生を自動的に停止する自動停止機能を設定する設定手段と、自動停止機能が設定されたとき、再生したいファイルを入力する指定手段と、再生中のファイルが指定された最後のファイルか否かを検出する判別手段と、最後のファイルであることが検出されたとき、次のファイルの再生を停止する停止手段とを備えたことを特徴とする再生装置。
【請求項３】
テープ状記録媒体に連続して記録された複数のファイルを再生する再生装置であって、ファイルの再生を自動的に停止する自動停止機能を設定する設定手段と、自動停止機能が設定されたとき、再生するファイル数を入力する指定手段と、ファイルを識別するための情報を検出する検出手段と、再生中に前記情報を検出する毎にファイル数をカウントするカウント手段と、指定された最後のファイルの再生を終えたときに再生を停止する停止手段とを備えたことを特徴とする再生装置。
【発明の詳細な説明】
【０００１】
【発明の属する技術分野】
本発明は、記録媒体に記録されたファイルを連続して再生可能な再生装置に関する。
【０００２】
【従来の技術】
テレビ放送等の映像がファイルとして記録された磁気テープには、複数のファイルが連続して記録される。この磁気テープを再生する再生装置では、通常は指定されたファイルから順に連続して再生を行う。ここで、例えばアニメ番組をまとめて記録した１本の磁気テープを再生する場合、１話分だけ視聴したいときがある。従来の再生装置では、１話分のファイルの再生が終わると、すぐ次のファイルの再生が始まるので、１つのファイルの終了するタイミングを見計らって手動で再生を停止させている。
【０００３】
この場合、停止のタイミングがずれると、次のファイルが再生されてから停止される。すると、そのまま続きを視聴してしまうといった事態が発生する。また、ファイルの途中で停止されるので、別の機会に再生するとき、一旦ファイルの最初まで巻戻してから再生を開始しなければならず、操作が面倒となる。
【０００４】
また、特許文献１には、記録された情報を再生するとき、必要な箇所で一時停止させることが記載されている。すなわち、インデックスを含めて情報を記録媒体に記録しておき、情報を再生する場合、情報をインデックスで一時停止するか、または継続して再生するかのモードを選択する。再生を開始して、インデックスを検出すると、選択されたモードに応じて一時停止させることができる。
【０００５】
【特許文献１】
特開２００２−１３５６９６号公報（段落００７１〜００７２）
【０００６】
【発明が解決しようとする課題】
特許文献１では、インデックスの検出により１つずつ再生されるので、手動で停止させるときのタイミングを計らなくても、１つのファイルだけを再生して停止させることが可能である。しかし、複数のファイルを連続して再生した後、停止させる場合には、一時停止するごとに操作スイッチの操作により再生を再開させなければならず、操作が煩雑となる。しかも、人為的に停止させているので、自動的に停止させる機能を実現するものではない。
【０００７】
なお、ＤＶＤやハードディスク等のランダムアクセス可能な記録媒体を用いた再生装置では、複数のファイルを選択して、順に再生していくプログラム再生を設定できる。これによって、連続してファイルを再生して、指定したファイルの再生後、自動的に停止させることができる。しかし、設定時や再生時の操作が複雑であり、操作性に問題がある。
【０００８】
また、再生中に、任意のファイルにおいて停止させなければならない状況になったとき、簡単に設定することができないため、操作に手間取って、この間の再生を視聴できなくなることがある。
【０００９】
本発明は、上記に鑑み、簡単な操作によって、指定したファイルの再生を自動的に停止できる再生装置を提供することを目的とする。
【００１０】
【課題を解決するための手段】
本発明による課題解決手段は、記録媒体に記録された複数のファイルを連続して再生する再生装置であって、ファイルの再生を自動的に停止する自動停止機能を設定する設定手段と、自動停止機能が設定されたとき、ファイルの再生を開始して、指定されたファイルの次のファイルの再生を停止する実行手段とを備えたものである。
【００１１】
自動停止機能を設定することにより、再生を開始すれば、１つのファイルあるいは複数のファイルを再生した後、次のファイルを再生せずに自動的に停止させることができる。
【００１２】
自動停止機能を実行するために、再生したいファイルを入力する指定手段と、再生中のファイルが指定された最後のファイルか否かを検出する判別手段と、最後のファイルであることが検出されたとき、次のファイルの再生を停止する停止手段とを備えておく。
【００１３】
指定手段によって、再生を希望するファイルの個数を入力する。あるいは、ファイルは連続して再生されるので、再生したいファイルのうち最後のファイルを指定する。上記のいずれかに基づいて、判別手段が指定された最後のファイルであることを検出すると、最後のファイルの再生し終えた後、次のファイルを再生せずに自動的に停止する。
【００１４】
ファイル数を指定して自動停止機能を実行する場合、判別手段は、ファイルを識別するための情報を検出する検出手段と、再生中に前記情報を検出する毎にファイル数をカウントするカウント手段とから構成される。再生されたファイルをカウントしていくことによって、最後のファイルであるか判別できる。このようにファイル数を指定する方法は、複数のファイルを連続して記録するテープ状記録媒体を使用する場合に好適である。
【００１５】
また、最後のファイルを直接指定したときには、判別手段は、ファイルを識別するための情報によって最後のファイルであるか判別する。この方法は、決められた順に連続して再生していくランダムアクセス可能なデジタル記録媒体を使用する場合に好適である。
【００１６】
【発明の実施の形態】
本発明の一実施形態の再生装置を図１に示す。本再生装置は、記録媒体として磁気テープ１が使用され、チューナ２、記録再生部３、入力部４、制御部５から構成され、磁気テープ１にチューナ２あるいは外部入力端子から入力された映像信号を記録する機能も有している。制御部５にテレビ、モニタ等の表示部６が接続されている。
【００１７】
地上波放送や衛星放送、あるいはケーブルネットワークから受信した映像信号はチューナ２に入力される。チューナ２は、選局された番組の映像信号を選択して、記録再生部３に出力する。記録再生部３では、映像信号に所定の処理を施して、磁気テープ１に番組の映像信号を１つのファイルとして記録する。記録したファイルを再生するときは、記録再生部３が磁気テープ１から映像信号を読み出して、信号処理を施して表示部６やスピーカに出力する。
【００１８】
磁気テープ１には、複数のファイルが連続して記録される。各ファイルには、個々のファイルを識別するための識別情報がコントロール信号として挿入される。この識別情報は、ファイルの先頭に記録される頭出し情報とされ、例えばインデックス信号、ＶＡＳＳ信号等である。
【００１９】
入力部４は、図２に示すリモートコントローラ７あるいは装置本体の操作パネルとされ、番組の記録、再生の指示を制御部５に対して行う。マイコンからなる制御部５は、入力部４から入力された内容に基づいてチューナ２、記録再生部３、表示部６の制御を行う。
【００２０】
そして、制御部５は、任意の個数のファイルを連続して再生した後、自動的に停止する自動停止機能を設定する設定手段を備え、この機能が設定されているとき、再生キー８の操作によってこの機能を実行する。そのため、制御部５は、再生するファイル数を入力する指定手段と、再生中のファイルが指定された最後のファイルであるかを検出する判別手段と、指定された最後のファイルの再生を終えたときに再生を停止する停止手段とを有している。
【００２１】
設定手段は、表示部６に表示したメニュー画面上で入力部４からの入力によって自動停止機能を実行するように設定する。図３に示すように、メニュー画面において、自動再生停止モードの設定をオンオフする画面を表示して、入力部４の操作によってオンが選択されると、自動停止機能が設定される。これの代わりに、リモートコントローラ７に自動再生停止キー９を設け、このキー９を操作することにより設定してもよい。自動再生停止キー９をオンすると、図４に示すように、映像を映し出している画面に「再生」と表示し、確定キー１０をオンすることにより設定する。
【００２２】
指定手段は、再生を希望するファイルを指定するものであって、ファイルの個数が入力される。具体的には、リモートコントローラ７の数字キー１１を操作して入力し、入力された数字がファイル数となる。あるいは、自動再生停止キー９により入力してもよく、このキー９を操作した回数がファイル数となる。
【００２３】
判別手段は、磁気テープ１から出力されたファイルの識別情報を検出部１２により検出し、識別情報を検出する毎にファイル数をカウントして、指定されたファイル数だけカウントしたとき、最後のファイルであると判別する。
【００２４】
停止手段は、識別情報を検出して、最後のファイルであると判別したとき、再生を停止するように記録再生部３に停止信号を出力する。
【００２５】
自動停止機能を実行するときの制御動作を図５に基づいて説明する。再生キー８を操作すると、制御部５は、自動再生停止モードの設定がされているか確認する。自動再生停止モードが設定されていないときは、通常の再生、すなわち記録されているファイルを停止信号が入力されるか、あるいはテープエンドを検出するまで連続して再生する。
【００２６】
自動再生停止モードが設定されているとき、数字キー１１から入力されるのを待つ。所定時間、例えば１０秒間数字キー１１からの入力がないとき、自動停止機能を実行しないと判断して、通常の再生を行う。数字キー１１からの入力があると、入力された数値を指定されたファイル数としてレジスタに記憶する。
【００２７】
磁気テープ１からの再生は、再生キー８が操作されたときに開始される。表示部６の画面には、自動停止機能が実行されていることを示す表示、例えば「再生」等と表示される。さらに、指定したファイル数を表示してもよい。
【００２８】
１番目のファイルの再生が終わると、続いて２番目のファイルが再生される。
このとき、２番目のファイルに記録されている識別情報である頭出し情報を検出部１２によって検出する。検出したとき、レジスタに記憶された数値を１だけ減算する。また、画面に残りファイル数を表示してもよい。このようにして減算した数値が０となったか、すなわちカウントした数値が入力された数値と一致したか判別する。一致しなければ、再生を続行する。
【００２９】
指定された最後のファイルの再生を終え、次のファイルの頭出し情報を検出すると、減算した数値が０であるので、即座に次のファイルの再生を停止する。このとき、レジスタの値をクリア（０）にする。
【００３０】
なお、自動再生停止モード中、指定したファイルの再生をすべて終了していない場合において、磁気テープ１のテープエンド（ＥＯＴ）を検出する、映像信号あるいはコントロール（ＣＴＬ）信号のない状態が例えば１０秒継続したことを検出するといったとき、これ以後に再生すべきファイルがない状態であることを示している。この場合には、減算した数値が０になっていなくても、レジスタの値をクリアにしてから、再生を停止する。
【００３１】
また、頭出し情報を検出できない場合、磁気テープ１に記録されたファイルは識別情報を含んでいないので、ファイル数をカウントできない。そのため、通常の再生を行う。そして、磁気テープ１のテープエンド（ＥＯＴ）を検出するか、映像信号あるいはコントロール（ＣＴＬ）信号のない状態が例えば１０秒継続したことを検出すると、レジスタの値をクリアにしてから、再生を停止する。
【００３２】
上記の自動再生停止モードでは、複数のファイルの再生を行うが、１つのファイルだけ再生して停止することもできる。図６に示すように、再生キー８を操作すると、ファイルの再生が開始され、制御部５は、自動再生停止モードの設定がされているか確認する。
【００３３】
自動再生停止モードが設定されているとき、ファイルの再生が終わると、続いて次のファイルが再生される。このとき、ファイルに記録されている識別情報である頭出し情報を検出部１２によって検出する。検出したとき、再生を停止する。自動再生停止モードが設定されていないとき、あるいは次のファイルの頭出し情報を検出できないとき、通常の再生を行う。すなわち、停止信号が入力されるか、あるいはテープエンドを検出するまで記録されているファイルを連続して再生する。
【００３４】
以上のように、自動停止機能を設定しておけば、再生キー８と数字キー１１の操作、あるいは再生キー８のみの操作によって、自動停止機能が実行され、１つのファイルあるいは指定した複数のファイルの再生を行った後に自動的に停止することができる。したがって、最初に操作するだけで、以後は何ら操作しなくても、自動的に所望のファイルの再生が停止するので、操作性の向上を図れる。
【００３５】
また、ファイルの指定において、数字キー１１の代わりに自動再生停止キー９を用いる場合の自動停止機能を実行するときの制御動作について説明する。図７に示すように、再生中、自動再生停止キー９が操作され、さらに確定キー１０が操作されると、自動再生停止モードが設定される。その後、自動再生停止キー９の操作回数をカウントして、カウント数を指定されたファイル数とする。以後の動作は、上記の図４に示すものと同じである。自動再生停止キー９が操作されない、あるいは自動再生停止キー９の操作後、確定キー１０が操作されないときは、自動停止機能を実行しないと判断して、通常の再生を行う。
【００３６】
なお、本発明は、上記実施形態に限定されるものではなく、本発明の範囲内で上記実施形態に多くの修正および変更を加え得ることは勿論である。記録媒体は、ハードディスク、書き換え可能なＤＶＤ、ＣＤ、半導体メモリであってもよい。これらの記録媒体は、ランダムアクセス可能であり、ファイルは記録された時間順といったような決められた順序で再生される。そのため、指定手段では、上記のように再生するファイル数を入力する代わりに、ファイルの中から最後に再生したいファイルを指定する。ファイルが順に再生され、指定されたファイルが再生し終わると、停止する。
【００３７】
また、自動停止機能が設定されていない場合、再生中に再生キーを操作することにより、自動停止機能を設定するようにしてもよい。このとき、現在再生されているファイルを１番目としてカウントしてもよく、あるいは次に再生されるファイルを１番目としてカウントしてもよい。その後は指定されたファイル数に応じてファイルが再生され、自動的に停止する。これによって、再生中に停止させなければならない事態が生じても、ファイルの途中で停止することはなく、次回の再生時にはファイルの最初から再生することができる。
【００３８】
識別情報としては、頭出し情報以外に、映像信号とともに記録される時刻情報、カウント値等を利用してもよい。また、ファイルの最後にエンドであることを示す信号を記録時に入力して、これによって１つのファイルの再生終了を検出してもよい。
【００３９】
【発明の効果】
以上の説明から明らかな通り、本発明によると、自動停止機能を設定することにより、希望したファイルまで連続して再生した後、自動的に停止させることができる。すなわち、再生を開始するときに簡単な操作をすれば、後は自動的に停止するので、ファイルごとに操作する必要がなくなり、操作の煩わしさがなくなって、操作性が向上する。
【図面の簡単な説明】
【図１】本発明の一実施形態の再生装置の概略ブロック図
【図２】各種キーを備えたリモートコントローラを示す図
【図３】自動停止機能を設定するときのメニュー画面を示す図
【図４】自動停止機能を設定したときの画面を示す図
【図５】複数のファイルに対して自動停止機能を実行するときのフローチャート
【図６】１つのファイルに対して自動停止機能を実行するときのフローチャート
【図７】複数のファイルに対して自動停止機能を実行するときのフローチャート
【符号の説明】
１　　磁気テープ
３　　記録再生部
４　　入力部
５　　制御部
７　　リモートコントローラ
８　　再生キー
９　　自動再生停止キー
１０　　確定キー
１１　　数字キー
１２　　検出部
【図１】
2004146021.tif 000003
【図２】
2004146021.tif 000004
【図３】
2004146021.tif 000005
【図４】
2004146021.tif 000006
【図５】
2004146021.tif 000007
【図６】
2004146021.tif 000008
【図７】
2004146021.tif 000009